(57)【要約】【課題】保守点検時に、吸盤のような開放用の別個の用具を何ら要することなく、ロック手段を外す動作だけで自動的にリターンパネルを開放させることができるエレベータの開閉式操作盤を提供する。【解決手段】ヒンジ１５を介して回動自在に支持され、ヒンジ１５を中心に回動することで開閉動作するリターンパネル８と、リターンパネル８を係脱可能にロックして閉じ状態に保持するロック機構１８と、閉じ状態のリターンパネル８を開き方向に付勢するスプリングを備える開放機構とを具備する。ロック機構１８はかご室１の出入口柱３ａの側面外部から操作が可能で、保守点検時にロック機構１８を操作してリターンパネル８のロックを解除すると、開放機構のスプリングの付勢力でリターンパネル８がヒンジ１５を中心に回動して自動的に開く。【選択図】    図２
2009242076.tif 000002
【特許請求の範囲】
【請求項１】
ヒンジを介して回動自在に支持され、前記ヒンジを中心に回動することで開閉動作するリターンパネルと、
前記リターンパネルを係脱可能にロックして閉じ状態に保持するロック手段と、
前記閉じ状態のリターンパネルを開き方向に付勢する開放手段と、
を具備することを特徴とするエレベータの開閉式操作盤。
【請求項２】
前記ロック手段は、キーの操作で回転する回転体、およびこの回転体と一体的に回転して前記リターンパネルと係脱するロック片を備えるとともに、さらに前記リターンパネルを吸着して閉じ状態に保持する電磁石を備えることを特徴とする請求項１に記載のエレベータの開閉式操作盤。
【請求項３】
前記ロック手段は、キーの操作で回転する回転体、およびこの回転体と一体的に回転して前記リターンパネルと係脱するロック片を備え、前記回転体には開放手段として前記ロック片と一体的に回転する押し部材が設けられ、前記ロック片が一方向に回転して前記リターンパネルから離脱するときに前記押し部材がその回転の動作で前記リターンパネルを開き方向に付勢することを特徴とする請求項１に記載のエレベータの開閉式操作盤。
【請求項４】
前記開放手段としてマグネットキャッチが用いられ、このマグネットキャッチは突没動作が可能な可動体を有し、前記リターンパネルが前記可動体に接触することで閉じ状態を保持し、この状態から前記リターンパネルを閉じ方向に押し込む動作で前記可動体が突出して前記リターンパネルが開く機能を有し、前記ロック手段として、キーの操作で回転する受け部材を備え、この受け部材が閉じ状態の前記リターンパネルに接触してその押し込みの動作を規制することを特徴とする請求項１に記載のエレベータの開閉式操作盤。
【請求項５】
前記ロック手段がエレベータのかご室における出入口柱の内側に設けられ、前記出入口柱の側面に前記ロック手段のキー差込み用の鍵穴に対向して開口が形成され、この開口がカバー部材で開閉可能となっていることを特徴とする請求項１ないし４のいずれかに記載のエレベータの開閉式操作盤。
【発明の詳細な説明】
【技術分野】
【０００１】
この発明は、例えばエレベータのかご室内に設けられ、行先階ボタンやドア開閉ボタンなどの操作ボタン類やかご位置表示灯などの各種の用品が配設されたエレベータの開閉式操作盤に関する。
【背景技術】
【０００２】
エレベータのかご室内には操作盤が設けられ、この操作盤に行先階ボタンやドア開閉ボタンなどの操作ボタン類やかご位置表示灯などの各種の用品が配設されている。
【０００３】
この種の操作盤は、かご室の前面側の壁面と対向するリターンパネルを備え、このリターンパネルに各種の用品が配設されている。リターンパネルは開き戸構造の開閉式に構成され、このリターンパネルの裏面側に回路基板などの電気部品が配設されている。
【０００４】
通常時には、リターンパネルは閉じられ、ロック機構によりロックされている。そして操作盤の各用品に対する保守点検時には、ロック機構を外し、リターンパネルを開いてその作業を行なう。
【０００５】
リターンパネルの表面はかご室内に面しており、したがってこの表面にロック機構の鍵穴などが露出していると、外観上の見栄えが悪く、意匠性が低下してしまう。そこで、特公平７−４７４５０号公報に見られるように、リターンパネルのロック機構をリターンパネルの背面側から操作することができるようにしてリターンパネルの表面をすっきりとした外観に保ち、意匠性を高めるようにしている。
【特許文献１】特公平７−４７４５０号公報
【発明の開示】
【発明が解決しようとする課題】
【０００６】
ところで、保守点検時にロック機構を外し、リターンパネルを開く際には、そのリターンパネルを手前側に引き寄せて回動させなければならない。この際、リターンパネルの表面に取っ手や摘みなどが設けられていれば、その取っ手や摘みを掴んで容易にリターンパネルを開くことができる。
【０００７】
しかし、リターンパネルの表面に取っ手や摘みなどを設けると、その表面の外観上の見栄えが悪くなり、意匠性が低下してしまう。そこで、吸盤を用意し、保守点検時にその吸盤をリターンパネルの表面に吸着させ、その吸盤に手を掛けてリターンパネルを開く手段が採用されることがある。
【０００８】
ところが、吸盤を用いる手段では、保守点検時にいちいち吸盤を用意しなければならないから手間がかかり、また吸盤を吸着させるとリターンパネルの表面にその跡が残り、意匠性を低下させてしまう懸念がある。さらに、リターンパネルの表面が粗面の意匠仕様となっているような場合には吸盤を吸着させることが困難となる。
【０００９】
この発明はこのような点に着目してなされたもので、その目的とするところは、保守点検時に、吸盤のような開放用の別個の用具を何ら要することなく、ロック手段を外す動作だけで自動的にリターンパネルを開放させることができるエレベータの開閉式操作盤を提供することにある。
【課題を解決するための手段】
【００１０】
請求項１の発明は、ヒンジを介して回動自在に支持され、前記ヒンジを中心に回動することで開閉動作するリターンパネルと、前記リターンパネルを係脱可能にロックして閉じ状態に保持するロック手段と、前記閉じ状態のリターンパネルを開き方向に付勢する開放手段とを具備することを特徴としている。
【００１１】
請求項２の発明は、前記ロック手段が、キーの操作で回転する回転体、およびこの回転体と一体的に回転して前記リターンパネルと係脱するロック片を備えるとともに、さらに前記リターンパネルを吸着して閉じ状態に保持する電磁石を備えることを特徴としている。
【００１２】
請求項３の発明は、前記ロック手段が、キーの操作で回転する回転体、およびこの回転体と一体的に回転して前記リターンパネルと係脱するロック片を備え、前記回転体には開放手段として前記ロック片と一体的に回転する押し部材が設けられ、前記ロック片が一方向に回転して前記リターンパネルから離脱するときに前記押し部材がその回転の動作で前記リターンパネルを開き方向に付勢することを特徴としている。
【００１３】
請求項４の発明は、前記開放手段としてマグネットキャッチが用いられ、このマグネットキャッチは突没動作が可能な可動体を有し、前記リターンパネルが前記可動体に接触することで閉じ状態を保持し、この状態から前記リターンパネルを閉じ方向に押し込む動作で前記可動体が突出して前記リターンパネルが開く機能を有し、前記ロック手段として、キーの操作で回転する受け部材を備え、この受け部材が閉じ状態の前記リターンパネルに接触してその押し込みの動作を規制することを特徴としている。
【００１４】
請求項５の発明は、前記ロック手段がエレベータのかご室における出入口柱の内側に設けられ、前記出入口柱の側面に前記ロック手段のキー差込み用の鍵穴に対向して開口が形成され、この開口がカバー部材で開閉可能となっていることを特徴としている。
【発明の効果】
【００１５】
この発明によれば、保守点検時に、吸盤のような開放用の別個の用具を何ら要することなく、ロック手段を外す動作だけで自動的にリターンパネルを開放させることができる。
【発明を実施するための最良の形態】
【００１６】
以下、この発明の実施の形態について図面を参照して説明する。
【００１７】
図１ないし図４には第１の実施形態を示してある。図１は、エレベータのかご室１内の後部からその前方側を見た外観斜視図であり、かご室１の前面部には出入口２が設けられ、この出入口２の両側に出入口柱３ａ，３ｂが設けられている。出入口２にはドア装置４が設けられ、このドア装置４のドアパネル４ａ，４ｂが左右に移動することで出入口２が開閉される。
【００１８】
一方の出入口柱３ａとかご室１の一方の側板１ａとの間には操作盤７が設けられている。この操作盤７はリターンパネル８を有し、このリターンパネル８に行先階ボタン９、ドア開閉ボタン１０、かご位置表示灯１１などが配設されている。
【００１９】
図２は図１中のＡ−Ａ線に沿う断面図であり、リターンパネル８はその一側縁がヒンジ１５を介して垂直軸回り方向に回動自在に枢着され、通常時にはかご室１の前面側の側板１ｂと対向するように閉じられている。ヒンジ１５は側板１ｂに固定されたブラケット１６に取り付けられている。そしてこのリターンパネル８の裏面側に回路基板などの電気部品（図示せず）などが配設されている。
【００２０】
出入口柱３ａの内側には、図２および図３に示すようにロック機構１８が設けられている。図３は図２中のＢ−Ｂ線に沿う断面図である。ロック機構１８は、本体１９と、この本体１９に設けられ、キーの差込みが可能な鍵穴を有するキーシリンダ２０と、前記本体１９に設けられ、前記キーシリンダ２０に差し込んだキーを回すことにより回転する回転体２１と、この回転体２１に取り付けられ、回転体２１と同軸的に回転するロック片２２とを備えている。
【００２１】
ロック機構１８の本体１９は、図３に示すブラケット２３を介して出入口柱３ａの内側面に取り付けられている。キーシリンダ２０の先端側端面は出入口柱３ａの外側面と面一となるように露出し、出入口柱３ａの外部側からそのキーシリンダ２０の鍵穴にキーを差込むことができるようになっている。
【００２２】
リターンパネル８の内面には、ロック機構１８のロック片２２と係合する係合片２４がブラケット２５を介して取り付けられている。ロック片２２は平面視の形状がＬ形で、係合片２４は側面視の形状がＬ形となっており、ロック片２２が係合片２４の内側に介入することでロック片２２と係合片２４とが係合し、リターンパネル８が閉じ状態にロックされ、ロック片２２が図３における時計方向に回動することによりロック片２２が係合片２４の内側から離脱して係合が外れ、リターンパネル８のロックが解除されるようになっている。
【００２３】
リターンパネル８の裏面側には、図４に示すように開放機構２８が設けられている。図４は図１中のＣ−Ｃ線に沿う断面図で、開放機構２８はロック機構１８と上下に位置をずらして設けられている。
【００２４】
開放機構２８は、かご室１における前面側の側板１ｂの内面に取り付けられた弾性体としてのスプリング２９と、リターンパネル８の内面にスプリング２９と対向して取り付けられた受板３０とを備え、リターンパネル８が閉じ状態にロックされているときには受板３０がスプリング２９の端部に当接してスプリング２９を圧縮し、その圧縮でリターンパネル８が開き方向に弾性的に付勢された状態にある。
【００２５】
次に、作用について説明する。
【００２６】
操作盤７に対する保守点検時には、まずキーシリンダ２０の鍵穴に所定のキーを差込み、このキーを所定の方向に回す。この操作によりロック機構１８のロック片２２が回転体２１と一体的に図３に鎖線で示すように時計方向に回動して係合片２４との係合が外れ、リターンパネル８のロックが解除される。このロックの解除に応じて、リターンパネル８が開放機構２８のスプリング２９の付勢力で自動的に手前側に押し出されて開く。つまり、リターンパネル８がヒンジ１５を中心に図２における反時計方向に回動して開く。これにより、リターンパネル８の裏面側の回路基板などの電気部品が露出し、その保守点検が可能になる。
【００２７】
このように、ロック機構１８を解除する操作だけで、吸盤のような開放用の用具を何ら用いることなく、自動的にリターンパネル８が開き、したがって保守点検の作業を容易に能率よく行なうことができる。
【００２８】
保守点検作業が終了した後には、リターンパネル８を手動で閉じ方向に回動し、受板３０をスプリング２９に当接させて圧縮し、この状態で前記キーを逆方向に回してロック片２２を係合片２４に係合させる。これによりリターンパネル８が閉じ状態にロックされ、その開放が防止される。
【００２９】
図５には第２の実施形態を示してある。この実施形態においては、前記第１の実施形態の構成に加え、出入口柱３ａの内側に電磁石３３が取り付けられているとともに、この電磁石３３の電源回路を開閉する切替えスイッチ３４がロック機構１８の本体１９に取り付けられている。
【００３０】
電磁石３３はブラケット３２を介して出入口柱３ａの内側面に取り付けられている。リターンパネル８の内面には電磁石３３に対向する磁性材料からなる吸着板３５が取り付けられ、リターンパネル８が閉じ状態にあるときにはこの吸着板３５が電磁石３３に接触している。
【００３１】
切替えスイッチ３４は、ロック機構１８のロック片２２の動作に連動し、ロック片２２が係合片２４に係合する状態にあるときには電磁石３３の電源回路を閉じ、ロック片２２が係合片２４から離脱するときに電磁石３３の電源回路を開くように動作する。
【００３２】
この実施形態では、リターンパネル８が閉じ、ロック機構１８によりロックされている通常時には、電磁石３３が励磁され、リターンパネル８が吸着板３５を介して電磁石３３に吸着されている。
【００３３】
そして、保守点検時に、ロック機構１８をキーで操作してロック片２２と係合片２４との係合を外し、リターンパネル８のロックを解除すると、ロック片２２に連動して切替えスイッチ３４が動作し、電磁石３３が消磁され、これに応じてリターンパネル８が開放機構２８のスプリング２９の付勢力で自動的に手前側に押し出されて開く。
【００３４】
保守点検の作業終了後に、リターンパネル８を手動で閉じ、キーの操作でロック機構１８のロック片２２を回動して係合片２４に係合させると、そのロック片２２の動作で切替えスイッチ３４の接点が切替り、電磁石３３が励磁され、リターンパネル８が吸着板３５を介して電磁石３３に吸着される。すなわち、リターンパネル８がロック機構１８によりロックされるとともに、さらに電磁石３３により吸着される。
【００３５】
このため、リターンパネル８の閉じ状態がより安定し、ロック機構１８のロック片２２と係合片２４との係合部分に遊びがあるような場合であっても、電磁石３３による吸着力でリターンパネル８を吸着保持して振動などの発生を防止することができる。
【００３６】
図６には第３の実施形態を示してある。この実施形態においては、前記第２の実施形態の場合と同様に、出入口柱３ａの内側に電磁石３３が取り付けられているとともに、この電磁石３３の電源回路を開閉する切替えスイッチ３４がロック機構１８の本体１９に取り付けられ、切替えスイッチ３４の接点がロック片２２に連動して切替るようになっている。
【００３７】
通常時には、ロック機構１８のロック片２２が係合片２４に係合し、リターンパネル８がロックされているとともに、電磁石３３の励磁でリターンパネル８が吸着板３５を介して電磁石３３に吸着されている。
【００３８】
そして、この実施形態では、リターンパネル８を開き方向に付勢する開放機構が設けられておらず、その開放機構に代る開放手段としてロック機構１８の回転体２１に押し部材３７が取り付けられている。この押し部材３７はロック片２２と一体的に回転するように回転体２１に取り付けられ、ロック片２２が係合片２４に係合する通常時には回転体２１の下方に延びている。
【００３９】
そして、この実施形態においては、保守点検時にロック機構１８のキーシリンダ２０にキーを差込み、このキーの操作で回転体２１を回転させると、まずロック片２２が係合片２４から離脱してリターンパネル８のロックが解除され、またロック片２２に連動して切替えスイッチ３４の接点が切替って電磁石３３が消磁される。そして、キーを介して回転体２１をさらに回転させると、押し部材３７がリターンパネル８の内面に当接し、この押し部材３７でリターンパネル８が手前側に押し出されて自動的に開く。
【００４０】
保守点検の作業が終了し、リターンパネル８を閉じるときには、キーを用いてロック機構１８の回転体２１を僅かに逆方向に回転させ、この状態でリターンパネル８を閉じ、さらに回転体２１を逆方向に回転させてロック片２２を係合片２４に係合させ、リターンパネル８をロックする。
【００４１】
この際、ロック片２２の動作で切替えスイッチ３４の接点が切替り、電磁石３３が励磁され、リターンパネル８が吸着板３５を介して電磁石３３に吸着される。すなわち、リターンパネル８はロック機構１８によりロックされるとともに、さらに電磁石３３により吸着される。
【００４２】
このため、リターンパネル８の閉じ状態が安定し、ロック機構１８のロック片２２と係合片２４との係合部分に遊びがあるような場合であっても、電磁石３３による吸着力でリターンパネル８を吸着保持して振動などの発生を防止することができる。
【００４３】
図７および図８には第４の実施形態を示してある。この実施形態においては、リターンパネル８の開放機構として、かご室１の側板１ｂに周知のプッシュ式マグネットキャッチ４０が取り付けられている。このマグネットキャッチ４０は、本体４１と、この本体４１内に進退移動が可能な可動体４２とを備え、可動体４２の先端部が本体４１から突出するとともにその先端面に永久磁石からなるマグネット４３が取り付けられている。
【００４４】
リターンパネル８の内面には、マグネットキャッチ４０に対向して磁性材料からなる吸着板４４が取り付けられ、リターンパネル８を開き状態から閉じると、吸着板４４が可動体４２のマグネット４３に接触して吸着されるとともに、可動体４２が本体４１内に押し込まれ、可動体４２およびリターンパネル８がその押し込み位置、つまりリターンパネル８の閉じ位置に保持される。そしてこの状態から、手動でリターンパネル８と共に可動体４２を再度押し込み方向に押し込むと、可動体４２がスプリング（図示せず）の弾性力で押し込みの反対方向に一定距離だけ突出し、その突出の勢いでリターンパネル８がマグネット４３から離脱して自動的に開くようになっている。
【００４５】
リターンパネル８の内側のロック機構１８における回転体２１には、ロック片に代えて受け部材４５が取り付けられている。また、この受け部材４５の上方部に補助受け部材４６が設けられている。この補助受け部材４６は、出入口柱３ａの内面に取り付けられたブラケット４７に支軸４８を介して回動自在に取り付けられている。そして受け部材４５と補助受け部材４６との間にリンクレバー５０が取り付けられている。このリンクレバー５０は受け部材４５と補助受け部材４６とにそれぞれ支軸５１，５２を介して回動自在に連結され、受け部材４５と補助受け部材４６とがリンクレバー５０を介して互いに連動して回動するようになっている。
【００４６】
通常時には、受け部材４５および補助受け部材４６がそれぞれほぼ水平に配置され、これら受け部材４５および補助受け部材４６の先端部にリターンパネル８の内面が当接し、この当接でリターンパネル８の閉じ方向への押し込みが規制されている。すなわち、マグネットキャッチ４０のマグネット４３に吸着されているリターンパネル８の押し込みが受け部材４６と補助受け部材４６により阻止されている。
【００４７】
保守点検時には、キーを用いてロック機構１８の回転体２１を操作して回転体２１と一体に受け部材４５を図８における時計方向に回動させる。受け部材４５が回動したときにはその動作がリンクレバー５０を介して補助受け部材４６に伝わり、補助受け部材４６も受け部材４５と一体的に時計方向に回動する。
【００４８】
受け部材４５および補助受け部材４６が時計方向に回動することで、これら受け部材４５および補助受け部材６がリターンパネル８から離脱し、リターンパネル８の押し込みが可能となるから、この状態でリターンパネル８を閉じ方向に僅かに押し込む。
【００４９】
この押し込みにより、マグネットキャッチ４０の可動体４２が一旦本体４１内に押し込まれるとともに、その押し込みの反対方向にスプリングの付勢力で弾性的に突出し、その突出の勢いでリターンパネル８が可動体４２のマグネット４３から離脱して自動的に開く。
【００５０】
保守点検の作業終了後には、リターンパネル８を手動で閉じ方向に回動操作する。この操作で、突出状態にあるマグネットキャッチ４０の可動体４２にリターンパネル８が当接し、マグネット４３を介して吸着されるとともに、可動体４２が本体４１内に押し込まれ、その押し込みの位置にロックされ、リターンパネル８の閉じ状態が保持される。
【００５１】
この後、キーを用いてロック機構１８の回転体２１を操作して受け部材４５を反時計方向に回動させる。受け部材４５が回動したときにはその動作がリンクレバー５０を介して補助受け部材４６に伝わり、補助受け部材４６も受け部材４５と一体的に反時計方向に回動する。
【００５２】
受け部材４５および補助受け部材４６が反時計方向に回動することで、これら受け部材４５および補助受け部材４６がリターンパネル８の内面に接触し、リターンパネル８の押し込みが不能となる。すなわち、マグネットキャッチ４０の可動体４２を押し込んでリターンパネル８と可動体４２とを離脱させる操作が不能となり、リターンパネル８を閉じ状態に安定してロックすることができる。
【００５３】
前記各実施形態においては、ロック機構１８におけるキーシリンダ２０の端面の鍵穴が出入口柱３ａの側面に露出する状態にあるが、図９に第５の実施形態として示すように、鍵穴が外部に露出しないように構成することも可能である。
【００５４】
すなわち、この実施形態においては、キーシリンダ２０の端面が出入口柱３ａの内側に配置されているとともに、その端面に対向して出入口柱３ａの側面に開口５５が形成されている。そして、出入口柱３ａの外面に開口５５を覆うカバー部材としてミラー５６が設けられている。このミラー５６は、出入口柱３ａの内側に取り付けられたヒンジ５７を介して支持されている。ヒンジ５７は、ヒンジピン５８およびこのヒンジピン５８を中心に回動するヒンジ片５９を有し、ヒンジ片５９が開口５５を通してミラー５６の裏面に接合されている。
【００５５】
通常時には開口５５がミラー５６で閉じられ、このミラー５６でキーシリンダ２０の端面が覆い隠されている。保守点検時にロック機構１８を操作するときには、ミラー５６をヒンジピン５８を中心に出入口柱３ａの外方側に回動して開口５５を開き、この開口５５を通してキーシリンダ２０の端面の鍵穴にキーを差込んでロック機構１８を操作する。
【００５６】
保守点検の作業終了後には、ミラー５６をヒンジピン５８を中心に逆方向に回動して出入口柱３ａの外面に閉じ合わせて開口５５を覆う。これにより、キーシリンダ２０の端面がミラー５６で覆い隠されて外部に露出せず、したがって出入口柱３ａの外面の意匠性を高めることができる。
【図面の簡単な説明】
【００５７】
【図１】この発明の第１の実施形態に係る開閉式操作盤を備えるかご室の内部の外観を示す斜視図。
【図２】図１中のＡ−Ａ線に沿う断面図。
【図３】図２中のＢ−Ｂ線に沿う断面図。
【図４】図１中のＣ−Ｃ線に沿う断面図。
【図５】この発明の第２の実施形態に係る開閉式操作盤の側面視の断面図。
【図６】この発明の第３の実施形態に係る開閉式操作盤の側面視の断面図。
【図７】この発明の第４の実施形態に係る開閉式操作盤の平面視の断面図。
【図８】この発明の第４の実施形態に係る開閉式操作盤の側面視の断面図。
【図９】この発明の第５の実施形態に係る開閉式操作盤の平面視の断面図。
【符号の説明】
【００５８】
１…かご室
３ａ．３ｂ…出入口柱
７…操作盤
８…リターンパネル
１５…ヒンジ
１８…ロック機構
２０…キーシリンダ
２１…回転体
２２…ロック片
２４…係合片
２８…開放機構
２９…スプリング
３０…受板
３３…電磁石
３４…切替えスイッチ
３５…吸着板
３７…押し部材
４０…マグネットキャッチ
４２…可動体
４３…マグネット
４４…吸着板
４５…受け部材
４６…補助受け部材
５５…開口
５６…ミラー
５７…ヒンジ
【図１】
2009242076.tif 000003
【図２】
2009242076.tif 000004
【図３】
2009242076.tif 000005
【図４】
2009242076.tif 000006
【図５】
2009242076.tif 000007
【図６】
2009242076.tif 000008
【図７】
2009242076.tif 000009
【図８】
2009242076.tif 000010
【図９】
2009242076.tif 000011